(57)【要約】【課題】懸濁成分の沈降促進を図りながら、池底の汚泥の掻き寄せも確実に行うことができ、処理能力の増大や処理水質の向上を図ることができる沈殿池を提供する。【解決手段】スプロケット１５，１６，１７にガイドされて、沈殿池１１の底部に沿う位置と上部を通る位置とを循環するように配置された複数の無端状のチェーン１８と、該チェーン１８に一定間隔で掛け渡された多数枚の板状体２１と、チェーン１８を一定の方向に移動させるモーター１９とを備える。２１板状体は、基部２１ａに対して先端部２１ｂが牽引部材の進行方向に対して後方に向かって傾斜して設けられ、隣接する板状体２１の基部２１ａと先端部２１ｂとが平面視で重なり合う状態で設けられるとともに、先端部２１ｂに、基部２１ａと先端部２１ｂとの隙間を確保するためのスペーサ２１ｃを設けた。【選択図】図１
2008036505.tif 000002
【特許請求の範囲】
【請求項１】
複数の回転ガイド部材によりガイドされて沈殿池の底部に沿う位置と沈殿池の上部を通る位置とを循環するように配置された複数の無端状の牽引部材と、該複数の牽引部材に一定間隔で掛け渡された多数枚の板状体と、前記牽引部材を一定の方向に移動させる駆動手段とを備え、前記板状体は、前記牽引部材に装着される基部に対して先端部が牽引部材の進行方向に対して後方に向かって傾斜して設けられ、隣接する板状体の基部と先端部とが平面視で重なり合う状態で設けられるとともに、前記重なり合う基部と先端部のいずれか一方に、該基部と先端部との隙間を確保するためのスペーサを設け、前記板状体は、沈殿池の底部を通るときには池底に沈殿した汚泥を排泥ピットに向けて掻き寄せる状態となり、沈殿池の上部を通るときには懸濁成分の沈降促進を図る沈降促進板の状態となることを特徴とする沈殿池。
【請求項２】
前記回転ガイド部材に、短絡防止翼を設けたことを特徴とする請求項１記載の沈殿池。
【発明の詳細な説明】
【技術分野】
【０００１】
本発明は、沈殿池に関し、詳しくは、池底に沈殿した汚泥を排泥ピットに掻き寄せる機能と、懸濁成分の沈降促進を図る機能とを有し、特に、下水の沈殿処理にも適用可能な沈殿池に関する。
【背景技術】
【０００２】
沈殿池上部に傾斜板あるいは傾斜管からなる沈降促進板を設けることによって懸濁成分の沈降促進を図ることが従来から行われており、また、沈殿池下部に掻寄機を設けることによって池底に沈殿した汚泥を排泥ピットに掻き寄せることも従来から行われている（例えば、特許文献１参照。）。
【特許文献１】特開２００１−２３９１０７号公報
【発明の開示】
【発明が解決しようとする課題】
【０００３】
しかし、従来の沈殿池では、沈降促進板と掻寄機の双方を設置する場合、まったく別の機器として設けられており、沈殿池上部のスペースを沈降促進板が専有することから、掻寄機の機種が限定され、また、掻寄機のメンテナンスは沈殿池内から水を抜いた状態でしか行えないという問題があった。このため、沈降分離させる懸濁成分が多く含まれる下水処理の分野では、沈降促進板と掻寄機の双方を沈殿池に設置することはほとんど行われていなかった。
【０００４】
そこで本発明は、懸濁成分の沈降促進を図りながら、池底の汚泥の掻き寄せも確実に行うことができ、処理能力の増大や処理水質の向上を図ることができる沈殿池を提供することを目的としている。
【課題を解決するための手段】
【０００５】
上記目的を達成するため、本発明の沈殿池は、複数の回転ガイド部材によりガイドされて沈殿池の底部に沿う位置と沈殿池の上部を通る位置とを循環するように配置された複数の無端状の牽引部材と、該複数の牽引部材に一定間隔で掛け渡された多数枚の板状体と、前記牽引部材を一定の方向に移動させる駆動手段とを備え、前記板状体は、前記牽引部材に装着される基部に対して先端部が牽引部材の進行方向に対して後方に向かって傾斜して設けられ、隣接する板状体の基部と先端部とが平面視で重なり合う状態で設けられるとともに、前記重なり合う基部と先端部のいずれか一方に、該基部と先端部との隙間を確保するためのスペーサを設け、前記板状体は、沈殿池の底部を通るときには池底に沈殿した汚泥を排泥ピットに向けて掻き寄せる状態となり、沈殿池の上部を通るときには懸濁成分の沈降促進を図る沈降促進板の状態となることを特徴とし、前記回転ガイド部材に、短絡防止翼を設けることもできる。
【発明を実施するための最良の形態】
【０００６】
図１乃至図３は本発明の第１形態例を示すもので、図１は沈殿池の断面図、図２は沈殿池の流入側上部の状態を示す説明図、図３は沈殿池の流出側池底部の状態を示す説明図である。
【０００７】
この沈殿池１１は、長手方向の一端に原水流入部１２が、他端上部に処理水流出部１３が設けられるとともに、流入部側の池底には、排泥ピット（排泥ホッパー）１４が設けられている。また、沈殿池１１の中間上部には、水面に浮遊するスカムを回収する装置（図示せず）が設けられている。
【０００８】
そして、沈殿池１１内には、沈殿池１１の幅方向両側部分にそれぞれ設けられた３組の回転ガイド部材の一つであるスプロケット１５，１６，１７に、複数、通常は一対の無端状の牽引部材であるチェーン１８が装着されている。３組のスプロケットの内、２組のスプロケット１５，１６は、流入側池底部と流出側池底部とにそれぞれ配置されており、１組のスプロケット１７は流入側上部の水面部に配置されている。この流入側上部に配置されたスプロケット１７には、駆動手段であるモーター１９に駆動用チェーン２０で接続されている。したがって、前記チェーン１８は、スプロケット１５，１６，１７にガイドされ、モーター１９により駆動されて沈殿池１１の底部に沿う位置と沈殿池１１の上部を通る位置とを循環する状態となる。また、流出側池底部に配設されたスプロケット１６にはチェーン２０が伸びた場合にチェーン２０を緊張させるための緊張装置１６ａが設けられている。
【０００９】
前記チェーン１８の外周側には、一定間隔で多数枚の板状体２１が掛け渡されている。この板状体２１は、沈殿池１１の幅寸法に対応した長さを有するものであって、チェーン１８に板状体２１の基部２１ａが固着され、基部２１ａに対して先端部２１ｂ側がチェーン１８の進行方向に対して後方に向かって傾斜するように設けられている。また、先端部２１ｂは、沈殿池１１の底部を通るときに、池底面と垂直になるように一側方に折り曲げられ、さらに先端部他側方には、隣接する板状体２１の重なり合う基部２１ａとの間に隙間を形成するためのスペーサ２１ｃが設けられている。
【００１０】
各板状体２１は、チェーン１８に牽引されて沈殿池１１の底部を通るときには、池底に沈殿した汚泥を排泥ピット１４に向けて掻き寄せる状態となり、沈殿池１１の上部を通るときには、従来の傾斜板や傾斜管と同様に、水平面に対して傾斜した状態で、隣接する板状体２１の基部２１ａと先端部２１ｂとが平面視で重なり合うとともに、前記スペーサ２１ｃによって所定の隙間が確保されている。スプロケット１５，１６，１７にガイドされるチェーン１８の緩やかな進行に伴い、沈殿池１１の底部では、従来のチェーンフライト式汚泥掻寄機と同等の汚泥掻寄機能を発揮し、沈殿池１１の上部では、従来の傾斜板や傾斜管のような沈降促進板と同等以上の沈降促進機能を発揮することになる。
【００１１】
また、チェーン１８の緩やかな進行に伴って、各板状体２１ｂに負荷が掛かり、板状体２１ｂが撓むことがあるが、板状体２１ｂには、隣接する板状体２１の基部２１ａとの隙間を確保するためのスペーサ２１ｃが設けられていることから、隣接する板状体２１，２１間で傾斜板の作用を得ることができる。また、チェーン１８の撓み等によって、板状体２１ｂに負荷が掛かった際にも、スペーサ２１ｃが設けられていることにより、板状体２１同士が衝突することがなく、基部２１ａの負荷を軽減することができ、板状体２１の耐久性を向上させることができる。さらに板状体２１を薄板で形成することができることから、コストの低減化を図ることができる。
【００１２】
図２に示されるように、板状体２１が沈殿池１１の流入側上部に設けられているスプロケット１７を通過する部分では、最低１枚の板状体２１が水面上に露出した状態になるように形成されており、原水流入部１２から沈殿池１１に流入した原水が、板状体２１の上方をそのまま処理水流出部１３の方向に向かって通過しないようにしている。また、スプロケット１７を通過した後は、前方の板状体２１のスペーサ２１ｃと隣接する後方の板状体２１の基部２１ａ外面とが当接し、前方の板状体２１と後方の板状体２１との隙間を確保した状態で循環する。
【００１３】
図４及び図５は本発明の第２形態例を示し、図４は沈殿池の流入側上部を示す説明図、図５は沈殿池の流出側池底部を示す説明図で、第１形態例と同様の構成要素を示すものには、同一の符号を付して、その詳細な説明は省略する。
【００１４】
本形態例では各スプロケット３１の軸３１ａの周囲に、スプロケット中心から外周側に延びる４つの短絡防止翼３１ｂを形成している。これにより、スプロケット３１の回転に伴って汚水が緩やかに撹拌され、原水流入部１２から沈殿池１１に流入した原水が、そのまま処理水流出部１３の方向に向かって短絡しないようにしている。この短絡防止翼３１ｂは、流入側、流出側のいずれか一方のスプロケット３１に設けるだけでもよい。
【００１５】
また、流れ方向に直交する阻流板２２を設けることによって、原水の短絡を防止することもできる。
【００１６】
尚、本発明は上述の各形態例に限らず、スペーサは、前方の板状体と後方の板状体とに所定の隙間を形成できるものであればよいので、形成位置や個数、形状は任意である。さらに、４組以上のスプロケットを用いて四角形（台形）状等にチェーンをガイドすることも可能であり、板状体全体を水中に配置してもよい。また、回転ガイド部材と無端状の牽引部材との組み合わせとして、スプロケットとチェーンとを使用したが、プーリとワイヤー、ドラムとベルトの組み合わせなど、板状体を牽引できれば任意の部材を使用することができる。さらに、沈殿池の水面より上方で、板状体が水面上に露出する位置の近傍に、水面上に露出した板状体に向けて洗浄水を噴射する板状体洗浄手段を設けると好適である。
【図面の簡単な説明】
【００１７】
【図１】本発明の第１形態例を示す沈殿池の断面図である。
【図２】同じく沈殿池の流入側上部の状態を示す説明図である。
【図３】同じく沈殿池の流出側池底部の状態を示す説明図である。
【図４】本発明の第２形態例を示す沈殿池の流入側上部の状態を示す説明図である。
【図５】同じく沈殿池の流出側池底部の状態を示す説明図である。
【符号の説明】
【００１８】
１１…沈殿池、１２…原水流入部、１３…処理水流出部、１４…排泥ピット、１５，１６，１７…スプロケット、１８…チェーン、１９…モーター、２０…駆動用チェーン、２１…板状体、２１ａ…基部、２１ｂ…先端部、２１ｃ…スペーサ、２２…阻流板、３１…スプロケット、３１ａ…軸、３１ｂ…短絡防止翼
【図１】
2008036505.tif 000003
【図２】
2008036505.tif 000004
【図３】
2008036505.tif 000005
【図４】
2008036505.tif 000006
【図５】
2008036505.tif 000007